【事件の表示】
　特願２０１１−　２０９４６「液晶ディスプレイ装置及びその製造方法」拒絶査定不服審判事件〔平成２３年１１月１７日出願公開、特開２０１１−２３２７３２〕について、次のとおり審決する。
【結　論】
　本件審判の請求は、成り立たない。
【理　由】
１．手続の経緯
　本願は、平成２３年２月２日（パリ条約による優先権主張２０１０年４月２３日、大韓民国）の出願であって、平成２６年７月１８日付けで拒絶理由が通知され、同年１０月２９日に意見書が提出されるとともに明細書及び特許請求の範囲が補正され、平成２７年３月１０日付けで拒絶査定がされ、これに対して、同年７月１７日に拒絶査定不服審判が請求されると同時に特許請求の範囲が補正され、当審において平成２８年４月２２日付けで拒絶理由が通知（以下「当審拒絶理由」という。）され、同年８月１０日に意見書が提出されるとともに明細書及び特許請求の範囲が補正されたものである。
２．当審拒絶理由の要点
　当審拒絶理由は、以下の理由３を含むものである。
（理由３）
　本願は、発明の詳細な説明の記載が、特許法３６条第４項第１号に規定する要件を満たしていない。
３．本願明細書及び特許請求の範囲
（１）本願の特許請求の範囲の請求項１の記載は、以下のとおりである。
「【請求項１】
　複数の基板内に液晶層が形成され、画像を形成することに係り、
　前記液晶層が形成された部分に対して離隔して配された基板の表面から形成された欠陥ホール内に気相の充填材を充填する工程と、
　前記充填材が充填された欠陥ホール上にカバー部材を付着する工程と、を含み、
　前記気相の充填材は二酸化炭素ガスを含む液晶ディスプレイ装置の製造方法。」
（２）本願明細書の発明の詳細な説明には、次の記載がある。
　ア　「【０００１】
  本発明は、液晶ディスプレイ装置に係り、さらに詳細には、基板から発生した欠陥ホールをカバーした液晶ディスプレイ装置及びその製造方法に関する。」
　イ　「【００１１】
　本発明が解決しようとする課題は、基板に形成された欠陥ホールを充填材で充填することによって、光の乱反射を減らす液晶ディスプレイ装置及びその製造方法を提供することである。」
　ウ　「【００２８】
　図１は、通常の液晶ディスプレイパネル１００を示した図面である。
【００２９】
　図面を参照すれば、前記液晶ディスプレイパネル１００は、第１基板１０１と、第２基板１０２と、前記第１及び第２基板１０１,１０２間に形成された液晶層１０３と、第１基板１０１の上面に形成された第１機能層１０４と、前記第２基板１０２の下面に形成された第２機能層１０５と、前記第１基板１０１の外面に接着剤１０６を媒介として付着された第１偏光膜１０７と、第２基板１０２の外面に形成された第２偏光膜(図示せず)と、を備える。
【００３０】
　前記のような構成を有する液晶ディスプレイパネル１００は、前記第１基板１０１及び第２基板１０２上にそれぞれ第１機能層１０４及び第２機能層１０５をパターニングした後に、第１基板１０１及び第２基板１０２に対するエッチングによって、前記第１基板１０１及び第２基板１０２の薄型化を達成する。
【００３１】
　この時、前記第１基板１０１や第２基板１０２には、これらを準備する過程や各機能層１０４,１０５を形成させる過程で、ディンプル（ｄｉｍｐｌｅ）形状の欠陥ホール１０８が多数発生する。
【００３２】
　前記欠陥ホール１０８が形成されれば、矢印で示したように、バックライトユニットから照射された光によって、前記欠陥ホール１０８が形成された第１基板１０１や第２基板１０２から乱反射が発生する。乱反射が発生すれば、液晶ディスプレイ装置を視聴する時、欠陥として視認する。」
　エ　「【００６３】
　前記欠陥ホール３２１が存在した状態で、第１基板２０１と第２基板２０２とを結合することによって製造された液晶ディスプレイ装置２００を視聴すれば、欠陥ホール３２１が形成された領域で、光の乱反射が発生して、視認性が低下する。
【００６４】
　これを防止するために、前記欠陥ホール３２１には、充填材３３１が充填されている。すなわち、前記充填材３３１は、液晶層２１９が形成された部分に対して離隔して配された第１基板２０１の第１面２０１ａに形成された欠陥ホール３２１に充填されている。
【００６５】
　前記充填材３３１は、前記欠陥ホール３２１に充填する時、前記第１基板２０１の第１面２０１ａに対して水平面になっている。前記充填材３３１は、液状や気相及び固状のうちいずれか一つの素材を利用して形成しうる。
【００６６】
　ここで、本明細書中における水平面とは、第１面２０１ａに形成された欠陥ホール３２１に充填された充填材３３１の形成する面が、例えば第１面２０１ａに平行であり、及び／又は第１面２０１ａの面内にあることをいうものとする。他の面に形成された欠陥ホールについても同様である。
【００６７】
　液状の素材を利用する場合、前記充填材３３１は、アクリル系素材が望ましい。また、気相の素材を利用する場合、前記充填材３３１は、一種のガス、または二つ以上のガスを混合したものであって、二酸化炭素(ＣＯ２)ガスを含むことが望ましい。
【００６８】
　この時、前記充填材３３１は、液状の素材を利用する場合、前記第１基板２０１の屈折率に対して±１０％以内の屈折率を有し、気相の素材を利用する場合、前記第１基板２０１の屈折率に近い値の屈折率を有する。望ましくは、前記充填材３３１の屈折率は、前記第１基板２０１の屈折率と同じであることが望ましい。
【００６９】
　例えば、前記第１基板２０１が透明なガラス基板からなる場合、前記第１基板２０１の屈折率は、約１.５である。この時、前記欠陥ホール３２１に充填されたアクリル系素材のような液状の充填材３３１の屈折率も、前記第１基板２０１と実質的に同一に１.５であることが望ましい。
【００７０】
　さらに、前記欠陥ホール３２１に充填された二酸化炭素(ＣＯ２)ガスを含む気相の充填材３３１の屈折率も、第１基板２０１の屈折率に対して近い値を有する。
【００７１】
　前記液状や気相の充填材３３１が充填された欠陥ホール３２１を備える前記第１基板２０１の第１面２０１ａには、接着剤３１１を媒介としてカバー部材の役割を行う第１偏光膜２２１が付着されている。前記第１偏光膜２２１によって、液状や気相の充填材３３１が充填された欠陥ホール３２１をカバーしている。
【００７２】
　前記のような構成を有する液晶ディスプレイ装置２００は、発光部の役割を行うバックライトユニット２６０から光を照射すれば、直進性を有する光は、第１偏光膜２２１及び接着剤３１１を透過して、第１基板２０１の第１面２０１ａに入射する。
【００７３】
　この時、前記欠陥ホール３２１が形成された領域では、光の乱反射が発生するが、本実施形態では、液状や気相の充填材３３１が欠陥ホール３２１を充填し、第１基板２０１の第１面２０１ａに対して充填材３３１が同じ水平面になり、しかも、液状の素材を利用する場合、前記第１基板２０１の屈折率に対して±１０％の屈折率を有する充填材３３１が充填され、気相の素材を利用する場合、前記第１基板２０１の屈折率に近い値の屈折率を有する充填材３３１が充填されることによって、図３の矢印で示したように、屈折率の偏差による光の乱反射を除去し、光の直進性を確保しうる。」
　オ　「【００９１】
　一方、気相の充填材６３１を形成させる方法を説明すれば、次の通りである。
【００９２】
　以下、欠陥ホール６２１が形成された第１基板２０１を抜粋して示すが、実質的に第１基板２０１と第２基板２０２とが結合された状態である。
【００９３】
　図６Ａに示したように、気相の素材を利用する場合、機能層２０３が形成された第１基板２０１を真空チャンバ６０１に配置する。この時、前記真空チャンバ６０１内の雰囲気は、一種のガス、または二つ以上のガスを混合したものであって、二酸化炭素(ＣＯ２)ガス６０２を含んでいる。前記二酸化炭素ガス６０２は、充填材用原素材として利用される。前記第１基板２０１ａが真空チャンバ６０１内に配されているので、前記欠陥ホール６２１にも二酸化炭素ガス６０２が存在する。
【００９４】
　この時、前記真空チャンバ６０１内の二酸化炭素ガス６０２の屈折率は、約１.５の屈折率である第１基板２０１に対して近い値を有する。
【００９５】
　次いで、図６Ｂに示したように、前記第１基板２０１の第１面２０１ａには、接着剤３１１を媒介としてカバー部材の役割を行う第１偏光膜２２１を付着させる。このように、前記第１偏光膜２２１によって気相の充填材６３１が充填された欠陥ホール６２１をカバーする。」
　カ　「【００９６】
　前記のような構成を有する液晶ディスプレイ装置２００の作用は、次の通りである。
【００９７】
　図２を参照すれば、ゲート電極２０７、ソース電極２０９、及びドレイン電極２２９によって制御された外部信号によって、第１電極２１３と第２電極２１６との間に電位値が形成され、電位差によって液晶層２１９の配列が決定され、液晶層２１９の配列によってバックライトユニット２６０から提供される光が遮蔽または透過される。透過された光は、カラーフィルタ層２１５を透過しつつ色を帯びて画像を具現する。
【００９８】
　この時、図３に示したように、前記第１基板２０１の第１面２０１ａや第２基板２０２の第１面２０２ａと反対になる表面には、基板を準備する過程や第１機能層２０３及び第２機能層２１４を準備する過程で、ディンプル形状の欠陥ホール３２１が形成されうるが、前記欠陥ホール３２１には、液状や気相の充填材３３１が充填されている。
【００９９】
　この時、前記充填材３３１の屈折率は、液状の素材を利用する場合、前記第１基板２０１や第２基板２０２の屈折率に対して±１０％以内の値、気相の素材を利用する場合、前記第１基板２０１や第２基板２０２の屈折率に近い値、望ましくは、同じ値を有するので、前記欠陥ホール３２１が形成された部分で屈折率の偏差による光の乱反射を除去する。」
　キ　図１、図３は以下のとおりである。
「【図１】
」
「【図３】
」
４．判断
　本願の請求項１に係る発明は、上記３．（１）のとおりの液晶ディスプレイ装置の製造方法の発明である。
　一方、本願明細書の発明の詳細な説明には、請求項１に係る発明に関して以下の説明がなされていると認められる。
　すなわち、液晶ディスプレイ装置の製造方法に関し、【００３２】に記載されるように、基板に欠陥ホールが形成されると、バックライトユニットから照射された光によって、図１の矢印のように乱反射が発生し、液晶ディスプレイ装置を視聴する時、欠陥として視認されるので、【００６４】に記載されるように、これによる視認性の低下を防止するために、欠陥ホールに充填材を充填し、充填材としては、【００６７】に記載されるように二酸化炭素(ＣＯ２)ガスを含む気相の素材が利用でき、このとき、【００７０】に記載されるように、欠陥ホールに充填された二酸化炭素(ＣＯ２)ガスを含む気相の充填材の屈折率が、基板の屈折率に対して近い値を有するので、【００７３】に記載されるように、図３の矢印で示されるように、屈折率の偏差による光の乱反射を除去し、光の直進性を確保しうると記載され、【００９１】〜【００９５】に、二酸化炭素ガスを含む雰囲気の真空チャンバ内で、基板に接着剤を媒介としてカバー部材の役割を行う偏光膜を付着させることにより、欠陥ホールに二酸化炭素ガスを含むガスを充填することが記載され、欠陥ホールに充填する二酸化炭素ガスを含む気相の充填材の屈折率について、【００９４】に記載されるように「約１.５の屈折率である第１基板２０１に対して近い値」あるいは【００９９】に記載されるように「基板の屈折率に対して近い値、望ましくは、同じ値」を有すると記載されている。
　しかしながら、二酸化炭素ガスの屈折率は、当審拒絶理由で指摘したように１．０００４５程度であり、上記の「屈折率の偏差による光の乱反射を除去し、光の直進性を確保しうる」という作用効果を奏するような「約１.５の屈折率である第１基板２０１に対して近い値」あるいは「基板の屈折率に対して近い値、望ましくは、同じ値を有する」の屈折率を有するものとは認められず、上記の作用効果を奏する屈折率を有する「二酸化炭素ガスを含む気相の充填材」がどういうものであるのか不明であり、基板の欠陥ホールに充填する二酸化炭素ガスを含む気相の充填材として、どのようなものを採用すれば、上記のように、屈折率が基板の屈折率に対して近い値、望ましくは、同じ値となり、光の乱反射を除去し、光の直進性を確保しうるという作用効果を奏する液晶ディスプレイ装置を製造することができるのか不明である。
　この点について、請求人は、平成２６年１０月２９日提出の意見書において、「二酸化炭素ガス（ＣＯ２）そのものではなく、二酸化炭素（ＣＯ２）ガスを含む所定の組成の気相の充填材３３１を選択すると、所定の条件の下において、第１基板２０１の屈折率に対して±１０％以内の近似値を有する１．６３の屈折率を実現し得ることは当業者に明らかです。」というが、「所定の組成」及び「所定の条件」がどのようなものであるかについての説明は、平成２８年８月１０日提出の意見書においてもなされておらず、上記のように、光の乱反射を除去し、光の直進性を確保しうるという作用効果を奏する程度に、屈折率が基板の屈折率に対して近い値を有する「二酸化炭素（ＣＯ２）ガスを含む所定の組成の気相の充填材」をどのように実現するのかが当業者に明らかであるとは認められない。
　請求人はまた、平成２８年８月１０日提出の意見書において、「気相の充填材が空気に対して基板の屈折率に近い値の屈折率を有することにより、『屈折率の偏差による光の乱反射を除去し、光の直進性を確保』という作用効果を一定の程度で生じることは当業者に明らかです。」と主張するが、気相の充填材を空気に対して基板の屈折率に近い値の屈折率とすることは、本願明細書の発明の詳細な説明に記載も示唆もされていないから、請求人の当該主張は根拠がなく採用できない。
　以上のとおりであって、本願明細書の発明の詳細な説明は、当業者が本願請求項１に係る発明の実施をすることができる程度に明確かつ十分に記載したものであるとは認められない。
５．むすび
　したがって、本願は、特許法３６条第４項第１号に規定する要件を満たしていないので、拒絶すべきものである。
　よって、結論のとおり審決する。